(57)【要約】【課題】機器設置コストを極力抑え、且つ、商用電源の電圧変動の影響を受けにくいエレベーターのエアコンへの電力送電方法を提供すること。【解決手段】バッテリー２とインバーター４とを有し、停電時に動作するバックアップ運転装置に内蔵される停電検出切替装置３およびインバーター４を用い、商用電源が給電されている状態においては前記インバーター４より供給電力の電圧と周波数とを変化させながらエアコン装置６への給電を行なう。【選択図】図１
2014051377.tif 000002
【特許請求の範囲】
【請求項１】
バッテリーとインバーターとを有し、商用電源が停電した時に動作するバックアップ運転装置と、エアコン装置と、を有するエレベーターのエアコンのへ電力送電方法において、商用電源が給電されている時は前記インバーターより前記エアコン装置への電力供給を行うことを特徴とするエレベーターのエアコンへの電力送電方法。
【請求項２】
請求項１の記載において、前記インバーターは、前記エアコン装置の起動時に前記エアコン装置へ供給する電力の電圧と周波数とを変化させながら供給することを特徴とするエレベーターのエアコンへの電力送電方法。
【発明の詳細な説明】
【技術分野】
【０００１】
本発明は、バッテリーとインバーターとを有し、商用電源が停電した時に動作するバックアップ運転装置を備えたエレベーターのエアコンへの電力送電方法に関するものである。
【背景技術】
【０００２】
エレベーターの乗りかごに設置されるエアコンへの電力送電は、機械室からテールコード等のケーブルを介して給電しているため、ケーブルの導体抵抗による電圧降下の影響を受ける。すなわち、エアコン装置の圧縮機の駆動源としてモーターが使用されており、モーターが起動する際には大きなトルクが必要となる。一方、商用電源は電源電圧と電源周波数とが固定されているため、モーターが起動する際にはモーターに流れる電流が大きくなるためにケーブルにおいて電圧降下が発生する。
【０００３】
この電圧降下の影響を軽減する技術としては、機械室に設置した変圧器で昇圧して乗りかごへ送電し、乗りかごに設置した変圧器で降圧してエアコンに給電することで送電時の電流を減らし、電圧降下を避ける技術が知られている（特許文献１）。
【先行技術文献】
【特許文献】
【０００４】
【特許文献１】特開平５−３１９７０９号公報
【発明の概要】
【発明が解決しようとする課題】
【０００５】
上述の従来技術は、機械室および乗りかごに変圧器をそれぞれ設置し、ケーブルに供給する電源電圧を昇圧することで電圧降下が小さくなり、エアコン等の消費電力が大きい負荷装置に使用するケーブルの使用本数を低減できるという効果は期待できる。
【０００６】
しかしながら、変圧器を設置するためのコストの発生や、商用電源の電圧が変動した際の影響を大きく受けるなどの問題点があった。
【０００７】
本発明は、上記のような課題を解決するためになされたもので、機器設置コストを極力抑え、且つ、商用電源の電圧変動の影響を受けにくいエレベーター用エアコンへの電力送電方法を提供することを目的とする。
【課題を解決するための手段】
【０００８】
本発明は、バッテリーとインバーターとを有し、商用電源が停電した時に動作するバックアップ運転装置と、エアコン装置と、を備えたエレベーターにおいて、商用電源から給電されている時は前記インバーターより前記エアコン装置への電力の供給を行うことを特徴とする。
【０００９】
また、本発明は、前記インバーターは、前記エアコン装置の起動時に前記エアコン装置へ供給する電力の電圧と周波数とを変化させながら供給することを特徴とする。
【００１０】
このような特徴を有する本発明によるエレベーター用エアコンへの電力送電方法は、商用電源による電力が供給されている場合、バックアップ運転装置のインバーターを使用してモーターへ電力を供給するので、商用電源の電圧変動の影響を受けることがなくなる。また、インバーターは一般的に出力電圧と電源周波数とを自由に変化させて供給することが可能であるため、エアコン装置の圧縮機に接続されたモーターを起動する際にインバーターからの供給電圧と電源周波数とを低く設定することにより、モータ−の起動電流を抑え、電圧降下を抑えることが可能となる。
【発明の効果】
【００１１】
以上のように本発明によれば、商用電源が供給されている状態においては前記インバーターよりエアコン装置へ電力給電を行なうことで、機器設置コストを極力抑えることが可能となる。また、商用電源の電圧変動の影響を受けにくくなるという効果が得られる。
【図面の簡単な説明】
【００１２】
【図１】本発明の一実施形態によるエレベータ一用エアコンへの電力送電方法を実施するための構成を示すブロック図である。
【図２】本発明の一実施形態による商用電源が供給されている時のエアコンヘの電力送電状況を示すブロック図である。
【図３】本発明の一実施形態による商用電源が停電している時のエアコンへの電力送電状況を示すブロック図である。
【発明を実施するための形態】
【００１３】
図１はこの発明のー実施形態によるエレベーター用エアコンへの電力送電方法を実施するための一構成例を示すブロック図である。
【００１４】
図１において、１は建物外部より供給される商用電源であり、商用電源が電力を提供している状態を給電されていると表現し、商用電源から電力が提供されていない状態を停電していると表現する。２はバックアップ運転装置に内蔵されるバッテリーで、商用電源が給電されている時は図示しない充電回路にて商用電源１より充電されている。３はバックアップ運転装置に内蔵される停電検出切替装置で、商用電源１の停電を検出したとき、電源をバッテリー２に切り替えるとともに、インバーター（後述）からの電力の供給をエレベーター駆動モーター（後述）に切り替える。４はバックアップ運転装置に内蔵されるインバーターである。５はエレベーターを昇降させるためのエレベーター駆動用モーターである。６はエレベニクーの乗りかご上に設置したエアコン装置であり、７はエアコンに電力を供給するためのテールコード等のケーブルである。
【００１５】
図２はこの発明のー実施形態における商用電源が供給されている時のエアコン装置への電力送電方法を示す図である。
【００１６】
図２において、エレベーター起動用モーター５に対しては停電検出切替え装置３より商用電源１をそのまま供給し、インバーター４は商用電源１を直流電源に変換する図示しない電源装置からの直流電流を、エアコン装置６を駆動するために好適な電圧や電源周波数に変換し、ケーブル７を介して図示しない乗りかご上に設置されているエアコン装置６に供給する。一般的に、エアコン装置６の圧縮機を駆動するモーターに対して商用電源を直接供給した場合、モーターに加わる電圧と周波数が大きい為、大きな始動トルク、すなわち定格トルクの２００〜３００％程度が得られるが、始動電流も大きく定格電流の６００〜８００％程度となる。
【００１７】
一方、インバーターにより駆動した場合では、電圧や電源周波数をＯから徐々に上げながらモーターに加えるため、始動トルクは定格の１００〜２００％程度と小さくなるが、始動電流も１００〜２００％程度と小さくなることから、モーターが起動する際にケーブル７に流れる電流を減らし、電圧降下を避けることが可能となる。
【００１８】
図３は本発明の一実施形態による商用電源が停電している時のエアコンへの電力送電状況を示すブロック図である。
【００１９】
図３においては、商用電源が停電している時はバッテリー２の電力をインバーター５にてエレベーター駆動用モーター５を駆動するために好適な電圧や電源周波数に変換し、エレベーター駆動用モーター５に変換し供給する。この動作により、もしエレベーターが階床間に位置している時に商用電源１が停電した場合においても、バッテリー２に充電された電力によりエレベーター駆動用モーター５を駆動し、エレベーターの乗りかごを停止階床まで移動させドアを開放することができ、エレベーターの乗りかごへの乗客の閉じ込めを防止することが可能とする。
【００２０】
総じて、このような実施形態とすることにより、エアコン６用の電源はバックアップ運転装置に内蔵される構成部品にて、ケ−ブル７に流れる電流を減らし、電圧降下を避けて供給できるため、機器設置コストを抑えることができる。また商用電源の電圧変動を受けにくいという効果をも奏する。
【符号の説明】
【００２１】
１  商用電源
２  バックアップ運転装置に内蔵されるバッテリー
３  バックアップ運転装置に内蔵される停電検出切替装置
４  バックアップ運転装置に内蔵されるインバーター
５  エレベーター駆動用モーター
６  エアコン装置
７  ケーブル
【図１】
2014051377.tif 000003
【図２】
2014051377.tif 000004
【図３】
2014051377.tif 000005